(57)【特許請求の範囲】
【請求項１】
光源から発せられた発散光を前方に照射するカメラ用照明装置において、
前記光源から主に前方に射出した光を集光するレンズ、
各々が、前記光源から斜め前方に射出した光が入射する入射面と、この入射面を通過して来た光を前方側に全反射させる全反射面と、この全反射面で全反射した光を射出させる射出面とを有し、照射光軸に対する傾きを可変とするように所定の回動軸を中心に回動自在に形成されて、前記レンズを外側から挟む状態に配置された１対のプリズム、
前記光源からほぼ後方に射出した光を主に前方に反射させる反射鏡、
カメラの撮影レンズのズーム機構に連動して前記１対のプリズムの傾きを変化させる駆動部材、
前記レンズと一体的に形成されて、前記１対のプリズムの各射出面の前側を覆う透光性カバー、
前記光源並びに反射鏡を保持した保持部材、および、
前記透光性カバー並びにレンズを保持するレンズ枠を備え、
このレンズ枠および前記保持部材が、互いに組み合って一体化し、かつ一体化した状態で前記回動軸を軸支する部分を構成する形状とされていることを特徴とする照明装置。
【請求項２】
前記光源が長手方向を有する直管状の発光管であり、前記レンズが前記光源の長手方向に延びるシリンドリカルレンズであり、前記プリズムが前記光源の長手方向に延びるものであることを特徴とする請求項１記載の照明装置。
【請求項３】
前記１対のプリズムが各々、前記射出面から射出した光が照射光軸を挟んで反対側を照射するように配置されていることを特徴とする請求項１または２記載の照明装置。
【請求項４】
前記レンズが、照射光軸方向に移動自在とされていることを特徴とする請求項１から３いずれか１項記載の照明装置。
【発明の詳細な説明】
【０００１】
本発明はカメラに用いられる照明装置に関し、特に詳細には、照射角を変化させることができる照明装置に関するものである。
【０００２】
【従来の技術】
カメラ等に用いられるストロボ照明装置は、基本的に、光源と、この光源から発せられた発散光を前方側に導く反射鏡やプリズム等の光学部材とで構成されている。
【０００３】
このような照明装置においては、その照射角がカメラの画角とかけ離れていると、画角内の周縁部の照射光量が不足したり、あるいはそれとは反対に、画角外に多くの光が照射されて光利用効率が低下する、といった問題が生じる。
【０００４】
そこで従来より、照射角を変化させることができる照明装置が種々提案されており、その主なものとして、
（１）  特開平４−１３８４３９号公報に示されるように、光源から側方あるいは後方に射出した光を前方側に向けて反射させる全反射面を有するプリズム、およびその外側に配された反射部材に対して、相対的に光源を照射光軸方向に移動させるもの、
（２）  特開平６−１６０９４７号公報に示されるように、光源を装着した反射鏡が通過可能な開口を有する集光フレネルレンズと、それらの前方側に配された別の集光フレネルレンズとを有し、光源および反射鏡を前記開口の軸方向つまり照射光軸方向に移動させるもの、
（３）  特公平５−２９８９５号公報、特開平６−１３８５２２号公報、および特公昭６２−５１４５３号公報に示されるように、反射鏡の傾きを変化させるもの、
等が挙げられる。
【０００５】
【発明が解決しようとする課題】
しかし、上記（１）の構成においては、プリズムの外側に反射部材が設けられるため、装置が大型化し、またコストも高くなるという問題があった。
【０００６】
また上記（２）の構成においては、照射角を可変とするために光源および反射鏡を大きく移動させなければならず、また、大きな径の集光フレネルレンズが２枚必要であるために、装置の大型化が避けられないという問題があった。
【０００７】
また上記（３）の構成においては、光源から直接被写体に向かう光を独立に制御する手段を備えていないため、配光特性の設定の自由度が低いという問題があった。
【０００８】
本発明は上記の事情に鑑みてなされたものであり、小型に形成可能で、しかも小さな移動量で高いズーム効果（照射角変化効果）を得ることができる照明装置を提供することを目的とするものである。
【０００９】
【課題を解決するための手段】
本発明による照明装置は、前述したように光源から発せられた発散光を前方に照射するカメラ用の照明装置において、
光源から主に前方に射出した光を集光するレンズ、
各々が、光源から斜め前方に射出した光が入射する入射面と、この入射面を通過して来た光を前方側に全反射させる全反射面と、この全反射面で全反射した光を射出させる射出面とを有し、照射光軸に対する傾きを可変とするように所定の回動軸を中心に回動自在に形成されて、上記レンズを外側から挟む状態に配置された１対のプリズム、
光源からほぼ後方に射出した光を主に前方に反射させる反射鏡、
カメラの撮影レンズのズーム機構に連動して前記１対のプリズムの傾きを変化させる駆動部材、
前記レンズと一体的に形成されて、前記１対のプリズムの各射出面の前側を覆う透光性カバー、
前記光源並びに反射鏡を保持した保持部材、および、
前記透光性カバー並びにレンズを保持するレンズ枠を備え、
このレンズ枠および前記保持部材が、互いに組み合って一体化し、かつ一体化した状態で前記回動軸を軸支する部分を構成する形状とされていることを特徴とするものである。
【００１０】
なお本発明の照明装置においては、前記光源が長手方向を有する直管状の発光管であり、前記レンズが前記光源の長手方向に延びるシリンドリカルレンズであり、前記プリズムが前記光源の長手方向に延びるものであることが好ましい。
【００１１】
また、前記１対のプリズムは各々、前記射出面から射出した光が照射光軸を挟んで反対側を照射するように配置されていることが望ましい。一方前記レンズは、照射光軸方向に移動自在とされていることが望ましい。
【００１２】
【作用および発明の効果】
上記構成を有する本発明の各照明装置において、光源から主に前方に射出した光はレンズによって集光されて常に照射角範囲の中央部分を照射する。それに対して、光源から斜め前方に射出した光は上記１対のプリズムを通過して前方側に射出するが、このプリズムの照射光軸に対する傾きを変化させると、そこから射出する光の向きを変えることができる。
【００１３】
そこで、このプリズムから射出する光が上記レンズから射出した光と同じ位置あるいはそれに近い位置を照射するようにプリズムの傾きを設定すれば、カメラの撮影レンズが望遠側のものである場合に適した狭照射角となり、プリズムから射出する光が上記レンズから射出した光の外側を照射するようにプリズムの傾きを設定すれば、カメラのレンズが広角側のものである場合に適した広照射角となる。
【００１４】
なお、光源からほぼ後方に射出した光は反射鏡で反射して、上記レンズあるいはプリズムに入射するので、集光効率は高く保たれる。また、プリズムでの全反射は、反射鏡における反射よりも反射効率が高いので、本発明の照明装置は、従来の反射鏡を用いる照明装置と比べて、光源から出た光の利用効率を高めることができる。
【００１５】
以上の通り本発明の照明装置は、プリズムの照射光軸に対する傾きを変化させて照射角を変えることができるものであるから、光源および反射鏡を照射光軸方向に大きく移動させる装置等に比べれば、小さな移動量で高いズーム効果を得ることができ、また、小型に形成可能となる。
【００１６】
そして本発明の照明装置は、光源から主に前方に射出した光と、斜め前方に射出した光とをそれぞれレンズ、プリズムによって所望の方向に向かわせているので、効率良く照射角を変えることができる。
【００１７】
そして本発明による照明装置において、プリズムの外側に光反射部材が配置されていない場合は、特に顕著な小型化が達成される。
【００１８】
また本発明による照明装置においては、カメラの撮影レンズのズーム機構に連動してプリズムの傾きを変化させる駆動部材が設けられているので、撮影レンズのズーム操作を行なえば、それに応じて最適な照射角が自動的に得られるようになる。
【００１９】
【実施例】
以下、図面を参照して本発明の実施例を説明する。先ずそれに先立って、本発明を説明する上での参考例について説明する。図１、２および３は、本発明に対する第１参考例であるストロボ照明装置の側面形状を示すものである。これらの図に示される装置自体は互いに同じものであり、図１は広照射角時の状態を、図２は狭照射角時の状態を、そして図３は光源10からほぼ後方に射出した光の軌跡を示している。
【００２０】
このストロボ照明装置は、例えばＸｅ（キセノン）管等の直管状光源10と、この光源10の中心よりも前方に配され、光源10の長手方向（紙面に垂直な方向）に沿って延びる１対の透明部材製プリズム11、12と、光源10の後方から側方にかけて配された反射鏡13と、光源10の長手方向に沿って延び、光源10の前方において上記プリズム11、12に挟まれる状態に配置されたシリンドリカルレンズ14と、このシリンドリカルレンズ14およびプリズム11、12の前方に配置された防塵カバー15とから構成されている。なお図中の16は、発光制御用トリガーである。
【００２１】
上側プリズム11は、入射面11ａと、全反射面11ｂと、射出面11ｃと、プリズム長手方向に延びる回動軸11ｄとを有している。なお上記全反射面11ｂの断面形状としては、楕円、円弧、複数の円弧の組合わせ、平面、あるいはこれらを複数組み合わせたもの等を採用することができる。下側プリズム12も上側のプリズム11と同様に、入射面12ａと、全反射面12ｂと、射出面12ｃと、プリズム長手方向に延びる回動軸12ｄとを有している。反射鏡13は、アルミ板や、モールド部品にアルミ蒸着したもの等から形成することができる。またその断面形状としては、楕円、双曲線、円弧、複数の円弧の組合わせ、あるいはこれらを複数組み合わせたもの等を採用することができる。シリンドリカルレンズ14は、正の屈折面である入射面14ａと、射出面14ｂとを有している。
【００２２】
図１および２に示されるように、光源10から主に前方に射出した光はシリンドリカルレンズ14に入射し、このシリンドリカルレンズ14により紙面に平行な面内で集光されて前方側に射出し、防塵カバー15を透過して被写体を照射する。また、光源10から斜め前方上側に射出した光はプリズム11の入射面11ａに入射し、そこを通過した後全反射面11ｂで全反射する。この全反射面11ｂで全反射した光は、射出面11ｃから前方側に射出し、照射光軸Ｏを挟んで反対側つまり下側の被写体を照射する。一方、図示は省いてあるが、光源10から斜め前方下側に射出した光はプリズム12の入射面12ａに入射し、そこを通過した後全反射面12ｂで全反射する。この全反射面12ｂで全反射した光は、射出面12ｃから前方側に射出し、照射光軸Ｏを挟んで反対側つまり上側の被写体を照射する。
【００２３】
プリズム11、12はそれぞれ、回動軸11ｄ、12ｄを中心として回動可能であり、例えばカメラのズームレンズと連動して、あるいは手動によって回動操作され、このズームレンズが広角側に設定されたときは図１に示す回動位置に、ズームレンズが望遠側に設定されたときは図２に示す回動位置に設定される。
【００２４】
図４は、このストロボ照明装置による被写体面Ｐ上の光照射範囲と、カメラのズームレンズによる撮影画角との関連を示したものである。図中Ｗが、ズームレンズが広角側に設定されたときの撮影画角（これを以下、ワイド画角という）を示し、Ｔが、ズームレンズが望遠側に設定されたときの撮影画角（これを以下、テレ画角という）を示している。
【００２５】
図１の状態のとき、シリンドリカルレンズ14から射出した光は、図４中の１の領域、つまり照射角を変化させる方向（Ｙ方向）に関してはテレ画角Ｔよりもやや大きく、照射角を変化させる方向と直角な方向（Ｘ方向）に関してはワイド画角Ｗよりもやや大きい領域を照射する。またこの図１の状態のとき、上側プリズム11から射出した光は、図４中の２の領域、つまりＹ方向に関してはテレ画角Ｔの下側に外れて、Ｘ方向に関してはワイド画角Ｗよりもやや大きい領域を照射する。一方この図１の状態のとき、下側プリズム12から射出した光は、図４中の３の領域、つまりＹ方向に関してはテレ画角Ｔの上側に外れて、Ｘ方向に関してはワイド画角Ｗよりもやや大きい領域を照射する。
【００２６】
以上のようにして、カメラのズームレンズが広角側に設定されたときは、プリズム11、12およびシリンドリカルレンズ14から射出した光が、ほぼワイド画角Ｗと一致する領域に照射されるようになる。図５は、このときのＹ方向の照度分布の概略を示している。この図５中の曲線１、２および３が、それぞれ図４中の領域１、２および３における照度分布を示しており、全体の照度分布はそれらを合成した破線表示のものとなる。
【００２７】
カメラのズームレンズが望遠側に設定されると、上側プリズム11は回動軸11ｄを中心として図１中で右回りに回動され、下側プリズム12は回動軸12ｄを中心として左回りに回動されて、それぞれ図２の回動位置に設定される。
【００２８】
この図２の状態のとき、シリンドリカルレンズ14から射出した光は、図１の状態のときと変わることなく、図４中の１の領域を照射する。また上側プリズム11から射出する光は、このプリズム11の回動にともなって次第に照射光軸Ｏとなす角度が小さくなる方向に向きを変え、図２の状態下では、上記図４中の１の領域とほぼ同じ領域を照射する。下側プリズム12から射出した光も、同様にして図４中の１の領域とほぼ同じ領域を照射する。
【００２９】
以上のようにして、カメラのズームレンズが望遠側に設定されたときは、プリズム11、12およびシリンドリカルレンズ14から射出した光が、Ｙ方向に関してはほぼテレ画角Ｔと一致し、Ｘ方向に関してはほぼワイド画角Ｗと一致する領域に照射され、照射範囲の照度がより高くなる。図６は、このときのＹ方向の照度分布の概略を示している。この図６中の曲線１、２および３が、それぞれ図４中の領域１、２および３における照度分布を示しており、全体の照度分布はそれらを合成した破線表示のものとなる。
【００３０】
なお、以上説明した参考例においては、プリズム11、12の各射出面11ｃ、12ｃおよびシリンドリカルレンズ14の射出面14ｂは平面状とされているが、図７に示すように、それらの射出面11ｃ、12ｃおよび14ｂを縦フレネルレンズ形状として、照射角を変える方向と垂直な方向に光を集光することも可能である。
【００３１】
また、シリンドリカルレンズ14に対向しているプリズム11、12の各端面、およびプリズム11、12に対向しているシリンドリカルレンズ14の端面は、それらの内部を通過する光が全反射するように鏡面仕上げするのが好ましい。
【００３２】
また本参考例では、図３に示す通り、光源10からほぼ後方に射出した光は反射鏡13で反射して、主にシリンドリカルレンズ14に入射するので、集光効率は高く保たれる。なおこれに限らず、反射鏡13で反射した光が主にプリズム11、12に入射するようにしても構わない。
【００３３】
さらに、光源10をその長手方向が上下に延びる向きに配置して、図４のＸ方向に照射角を変化させることも可能である。
【００３４】
次に図８、９および１０を参照して、本発明に対する第２参考例を説明する。なおこれらの図においても、示される装置自体は互いに同じものであり、図８は広照射角時の状態を、図９は狭照射角時の状態を、そして図１０は光源10からほぼ後方に射出した光の軌跡を示している。また、これらの図において、図１中の要素と同等の要素には同番号を付し、それらについての説明は特に必要のない限り省略する（以下、同様）。
【００３５】
この第２参考例のストロボ照明装置は、第１参考例装置のものとは異なるプリズム21、22が用いられたものである。この場合も上側プリズム21は、入射面21ａと、全反射面21ｂと、射出面21ｃとを有しているが、回動軸21ｄは第１参考例の場合とは異なって、シリンドリカルレンズ14と対向する面の前縁近傍に設けられている。下側プリズム22も上側プリズム21と同様に、入射面22ａと、全反射面22ｂと、射出面22ｃと、回動軸22ｄとを有している。
【００３６】
これらのプリズム21、22は、それぞれ全反射面21ｂ、22ｂの傾きが比較的小さく設定され、プリズム前面の上下寸法ｙp を小さくできるようにしてある。しかし、このままでは照射角が広がり過ぎてしまうので、これを補正するために、射出面21ｃ、22ｃを傾斜させて、射出する光を、光軸となす角が小さくなるように屈折させている。このようなプリズム21、22は、装置を小型化する上で有利である。
【００３７】
次に、本発明の実施例を説明する。図１１は、本発明の一実施例によるストロボ照明装置の側面形状を示すものである。この実施例装置でも、上側プリズム31は、入射面31ａと、全反射面31ｂと、射出面31ｃと、回動軸31ｄとを有している。また下側プリズム32も上側プリズム31と同様に、入射面32ａと、全反射面32ｂと、射出面32ｃと、回動軸32ｄとを有している。
【００３８】
一方シリンドリカルレンズ34は、前端がプリズム31、32の各射出面31ｃ、32ｃの前側に位置するように、上下に大きく延ばされている。前述した第１参考例装置においては、シリンドリカルレンズ14とプリズム11、12との間に隙間があるので、この隙間へのゴミ等の侵入を防止するために防塵カバー15を設ける必要があるが（第２参考例装置でも同様）、本実施例では上記形状のシリンドリカルレンズ34が防塵カバーとしても機能するので、別途防塵カバーを設ける必要がない。そうであれば、シリンドリカルレンズ34から射出した光は別体の防塵カバーを通らなくて済むので、透過効率が良くなる。
【００３９】
上記実施例のストロボ照明装置を実際にカメラに組み込んだ状態を図１２と図１３に示す。なお、図１２は広照射角時の状態を、図１３は狭照射角時の状態を示している。また図１４には、このストロボ照明装置組み込みのための機構を分解して示してある。
【００４０】
これらの図に示されているように、シリンドリカルレンズ34はレンズ枠35に取り付けられ、このレンズ枠35がカメラ本体30に固定されている。あるいは、シリンドリカルレンズ34とレンズ枠35は、一体に形成してもよい。なお図１２および１３では、このレンズ枠35の手前側の側板を省いてある。レンズ枠35の背面上部には１対の凹部35ａ、35ａが設けられ、上側プリズム31はこれらの凹部35ａ、35ａに回動軸31ｄ、31ｄを収めてレンズ枠35内に配される。またレンズ枠35の背面下部にも１対の凹部35ｂ、35ｂが設けられ、下側プリズム32はこれらの凹部35ｂ、35ｂに回動軸32ｄ、32ｄを収めてレンズ枠35内に配される。そしてレンズ枠35の背面側にケース40が取り付けられ、このケース40の左右に各々設けられた軸押さえ部40ａが凹部35ａ、35ａ、35ｂ、35ｂの開放端を閉じる。それにより上側プリズム31および下側プリズム32が、それぞれ回動軸31ｄ、32ｄを中心として回動自在に保持される。
【００４１】
上側プリズム31の一方の回動軸31ｄにはアーム36が固定され、下側プリズム32の一方の回動軸32ｄには、上記アーム36に係合するプリズム駆動レバー37が固定されている。また上記一方の回動軸31ｄにはトーションばね38が嵌挿されている。このトーションばね38の一端はレンズ枠35の突起35ｃに係止され、他端はアーム36の突起36ａに係止され、それにより上側プリズム31は回動軸31ｄを中心として図中左回りに回動付勢されている。プリズム駆動レバー37は上記アーム36の付勢力を受けることにより、下側プリズム32とともに回動軸32ｄを中心として図中右回りに回動付勢されている。
【００４２】
上記ケース40には、シリコンバンド39を用いて光源10と反射鏡13が取り付けられるとともに、トリガー16が装着される。またこのケース40の背面には２個のピン40ｂ、40ｃが突設されている。そして、これらのピン40ｂ、40ｃをそれぞれ長孔41ｂ、41ｃ内に収めることにより、該長孔41ｂ、41ｃの長手方向に移動可能にカム板41が配設されている。
【００４３】
このカム板41は、一端の上部に傾斜したカム面41ａを有し、他端の下部にはラック41ｄを有している。上記カム面41ａには、前述のように回動付勢されているプリズム駆動レバー37の先端下部が弾力的に当接している。また上記ラック41ｄには、カメラのズームレンズを操作する鏡胴駆動リング42によって回動されるギア43が噛合している。
【００４４】
以上の構成において、鏡胴駆動リング42がカメラのズームレンズを広角側に設定する回動位置にあるとき、カム板41は図１４において比較的奥方側に位置する。そこで、このカム板41のカム面41ａに当接しているプリズム駆動レバー37の先端が比較的低い位置まで下がり、プリズム31、32は図１２に示す回動位置に設定される。それよりこの場合は、広照射角が得られるようになる。
【００４５】
一方、鏡胴駆動リング42がカメラのズームレンズを望遠側に設定するように回動されると、カム板41は図１４において手前側に移動する。そこで、このカム板41のカム面41ａに当接しているプリズム駆動レバー37の先端が比較的高い位置まで押し上げられ、プリズム31、32は図１３に示す回動位置に設定される。それよりこの場合は、狭照射角が得られるようになる。
【００４６】
次に、図１５および１６を参照して本発明に対する第３参考例を説明する。この第３参考例のストロボ照明装置は、先に述べた第１参考例装置と比べると、シリンドリカルレンズ14が照射光軸Ｏの方向に移動自在とされている点が異なるものである。図１５の（Ａ）にはこの第３参考例装置が広照射角を得る状態を示してあり、図１６にはこの第３参考例装置が狭照射角を得る状態を示してある。また比較のために図１５の（Ｂ）に、第１参考例装置が広照射角を得る状態を示す。
【００４７】
特に広い照射角を得る場合は、図１５の（Ａ）に示されるように上側プリズム11および下側プリズム12が、同図（Ｂ）の状態よりもさらに広照射角側に操作される。つまり、上側プリズム11は回動軸11ｄを中心としてさらに左回りに回動操作され、下側プリズム12は回動軸12ｄを中心としてさらに右回りに回動操作される。すると、上側プリズム11による照明領域（図４の領域２）および下側プリズム12による照明領域（図４の領域３）は、画角中心から離れる方向、すなわち照射角をさらに拡大する方向に移動する。
【００４８】
しかしそのままでは、図４の領域２および３が領域１と分離して、各領域間に低照度の暗い部分が生じてしまう。そこで、シリンドリカルレンズ14を光源10に近付く方向に移動させると、上記領域１が図４のＹ方向内で広がって、暗い部分が無くなる。
【００４９】
また図１６に示されるように、上側プリズム11および下側プリズム12を特に狭照射角を得る状態にしておいて、シリンドリカルレンズ14を光源10から離れる方向に移動させると、上記領域１が図４のＹ方向内で狭くなり、より狭い照射角を得ることができる。
【００５０】
なお一般には、レンズを光源から離れる方向に移動させると、レンズに入射する光線が減って無駄な光が多くなるが、本参考例装置においては、シリンドリカルレンズ14に入射しなくなる光（図１６の光線ａ参照）はプリズム11、12に入射するようになるので、光利用効率が悪化することはない。
【００５１】
次に、図１７を参照して本発明に対する第４参考例を説明する。この第４参考例のストロボ照明装置は、先に述べた第１参考例装置と比べると、上側プリズム11および下側プリズム12の回動機構にさらに別の機能が付加された点が異なるものである。すなわち、上側プリズム11および下側プリズム12の回動機構には、例えば近距離撮影時に操作されるカメラのパララックス補正レバー等が機械的に連結され、近距離撮影時にはプリズム11、12が互いに同方向に回動操作される。例えば広角撮影時に、プリズム11、12をそれぞれ回動軸11ｄ、12ｄを中心に共に図中左回りに回動させると、照射範囲が全体的に下方へ移動する。
【図面の簡単な説明】
【図１】本発明に対する第１参考例である照明装置の広照射角時の状態を示す側面図
【図２】上記第１参考例装置の狭照射角時の状態を示す側面図
【図３】上記第１参考例装置の広照射角時の状態を、図１とは異なる光線軌跡と併せて示す側面図
【図４】被写体面上の撮影画角と光照射範囲との関係を説明する説明図
【図５】広照射角時の被写体面上の照度分布を示す概略図
【図６】狭照射角時の被写体面上の照度分布を示す概略図
【図７】本発明に用いられるプリズムとレンズの別の例を示す斜視図
【図８】本発明に対する第２参考例である照明装置の広照射角時の状態を示す側面図
【図９】上記第２参考例装置の狭照射角時の状態を示す側面図
【図１０】上記第２参考例装置の広照射角時の状態を、図８とは異なる光線軌跡と併せて示す側面図
【図１１】本発明の一実施例による照明装置の要部を示す側面図
【図１２】カメラに組み込まれた上記実施例装置の、広照射角時の状態を示す一部破断側面図
【図１３】カメラに組み込まれた上記実施例装置の、狭照射角時の状態を示す一部破断側面図
【図１４】上記実施例装置の分解斜視図
【図１５】本発明に対する第３参考例である照明装置の広照射角時の状態を、第１参考例装置と比較して示す側面図
【図１６】上記第３参考例装置の狭照射角時の状態を示す側面図
【図１７】本発明に対する第４参考例である照明装置の側面図
【符号の説明】
10     光源
11、21、31     上側プリズム
11ａ、21ａ、31ａ     上側プリズムの入射面
11ｂ、21ｂ、31ｂ     上側プリズムの全反射面
11ｃ、21ｃ、31ｃ     上側プリズムの射出面
11ｄ、21ｄ、31ｄ     上側プリズムの回動軸
12、22、32     下側プリズム
12ａ、22ａ、32ａ     下側プリズムの入射面
12ｂ、22ｂ、32ｂ     下側プリズムの全反射面
12ｃ、22ｃ、32ｃ     下側プリズムの射出面
12ｄ、22ｄ、32ｄ     下側プリズムの回動軸
13     反射鏡
14、34     シリンドリカルレンズ
15     防塵カバー
16     トリガー
30     カメラ本体
35     レンズ枠
36     アーム
37     プリズム駆動レバー
38     トーションばね
39     シリコンバンド
40     ケース
41     カム板
42     鏡胴駆動リング
【図１】
0003661798.tif 000002
【図２】
0003661798.tif 000003
【図３】
0003661798.tif 000004
【図４】
0003661798.tif 000005
【図５】
0003661798.tif 000006
【図６】
0003661798.tif 000007
【図７】
0003661798.tif 000008
【図８】
0003661798.tif 000009
【図９】
0003661798.tif 000010
【図１０】
0003661798.tif 000011
【図１１】
0003661798.tif 000012
【図１２】
0003661798.tif 000013
【図１３】
0003661798.tif 000014
【図１４】
0003661798.tif 000015
【図１５】
0003661798.tif 000016
【図１６】
0003661798.tif 000017
【図１７】
0003661798.tif 000018